(57)【要約】【課題】  袋状容器の内容物を容易に絞り出すことができる袋状容器絞り具を提供する。【解決手段】  表面に袋状容器が当接する容器側当接面７を有すると共に裏面に使用者の一本の指が当接する指側当接面８を有する第一当接片部２と、表面に使用者の他の一本の指が当接する指側当接面８を有すると共に裏面に袋状容器が当接する容器側当接面７を有する第二当接片部３と、第一当接片部２及び第二当接片部３を連結する連結部５とを具備することを特徴とする。または、表面に袋状容器が当接する容器側当接面７を有すると共に裏面に使用者の他の一本の指が当接する指側当接面８を有し、第一当接片部２との間に第二当接片部３を介在させた状態で、連結部５に第一当接片部２及び第二当接片部３と連結された第三当接片部４をさらに具備することを特徴とするものとしてもよい。【選択図】        図１
2006290425.tif 000002
【特許請求の範囲】
【請求項１】
表面に袋状容器が当接する容器側当接面を有すると共に裏面に使用者の一本の指が当接する指側当接面を有する第一当接片部と、
表面に前記使用者の他の一本の指が当接する指側当接面を有すると共に裏面に前記袋状容器が当接する容器側当接面を有する第二当接片部と、
前記第一当接片部及び前記第二当接片部を連結する連結部と
を具備することを特徴とする袋状容器絞り具。
【請求項２】
表面に前記袋状容器が当接する容器側当接面を有すると共に裏面に使用者のさらに他の一本の指が当接する指側当接面を有し、前記第一当接片部との間に前記第二当接片部を介在させた状態で、前記連結部によって前記第一当接片部及び前記第二当接片部と連結された第三当接片部をさらに具備することを特徴とする請求項１に記載の袋状容器絞り具。
【請求項３】
指を前記指側当接面に固定する固定手段をさらに具備することを特徴とする請求項１又は請求項２に記載の袋状容器絞り具。
【発明の詳細な説明】
【技術分野】
【０００１】
本発明は、袋状容器絞り具に関するものであり、詳しくは、袋状の容器の内容物を絞り出すための袋状容器絞り具に関するものである。
【背景技術】
【０００２】
従来、詰め替え用のシャンプー、リンス、又は液体洗剤等、或いは、歯磨き粉や調味料等の液体状、ペースト状、又は顆粒状の流動性を有する内容物を収容する容器としては、パックやチューブ等の可撓性を有する袋状容器が使用されている。そして、この袋状容器から内容物を絞り出す際には、内容物を袋状容器の外部から手指で押圧して袋状容器に形成された抽出口に案内することによって絞り出すことが一般的であった。
【０００３】
上記従来技術は、一般的な事項であり、本出願人は、本出願時において、この従来技術を特定する文献を特に知見していない。
【発明の開示】
【発明が解決しようとする課題】
【０００４】
しかしながら、上述のように、このような袋状容器に収容される内容物は流動性を有するものであり、袋状容器を手指で抽出口に向かって押圧してもこのような内容物は他方向に流動しやすいため、袋状容器内から絞り出すことは困難であった。
【０００５】
そこで、本発明は、上記実情に鑑みて、袋状容器の内容物を容易に絞り出すことができる袋状容器絞り具の提供を課題とするものである。
【課題を解決するための手段】
【０００６】
上述した課題を解決するために本発明の採った手段は、
「表面に袋状容器が当接する容器側当接面を有すると共に裏面に使用者の一本の指が当接する指側当接面を有する第一当接片部と、
表面に前記使用者の他の一本の指が当接する指側当接面を有すると共に裏面に前記袋状容器が当接する容器側当接面を有する第二当接片部と、
前記第一当接片部及び前記第二当接片部を連結する連結部と
を具備することを特徴とする袋状容器絞り具」
である。
【０００７】
袋状容器とは、可撓性を有する素材によって形成されたパックやチューブ等のことであり、内容物として流動性を有するものが収容されるものである。また、一本の指及び他の一本の指の組み合わせとしては、袋状容器絞り具を使用する使用者によって異なるため特に限定されるものではないが、例えば、人差し指及び中指、中指及び薬指、又は、親指及び人差し指等の組み合わせが挙げられる。
【０００８】
上記構成の袋状容器絞り具では、第一当接片部の裏面及び第二当接片部の表面は、使用者の指が当接する指側当接面を有している。すなわち、使用者が、連結部を手首側に向けた状態で、一本の指及び他の一本の指の夫々が第一当接片部の裏側及び第二当接片部の表側に位置するように袋状容器絞り具を挟み込むことによって、使用者の二本の指が第一当接片部及び第二当接片部の夫々に形成された指側当接面に当接する。
【０００９】
さらに、第一当接片部の表面及び第二当接片部の裏面は、袋状容器が当接する容器側当接面を有している。すなわち、第一当接片部の表側及び第二当接片部の裏側に袋状容器が位置するように袋状容器を袋状容器絞り具に差し込むことによって、袋状容器が第一当接片部及び第二当接片部の夫々に形成された容器側当接面に挟み込まれた状態で当接する。
【００１０】
これにより、使用者が、袋状容器絞り具に二本の指を当接させた状態で、袋状容器をこの袋状容器絞り具に差し込むことによって、袋状容器は袋状容器絞り具を介して使用者の指に挟み込まれることとなり、第一当接片部及び第二当接片部によって二方向から強く押圧されることとなる。すなわち、袋状容器の底付近を袋状容器絞り具に差し込んで、指押圧しながら袋状容器に形成された抽出口に向けてスライドさせることによって、袋状容器の内容物を抽出口に的確に案内することが可能となる。したがって、上記構成の袋状容器絞り具によれば、袋状容器の内容物を容易に絞り出すことができる。なお、この第一当接片部及び第二当接片部を形成する素材としては、特に限定されるものではないが、袋状容器を的確に押圧するためには、合成樹脂、金属、又は木等の袋状容器よりも硬質の素材が好適である。
【００１１】
上述の袋状容器絞り具において、
「表面に前記袋状容器が当接する容器側当接面を有すると共に裏面に使用者のさらに他の一本の指が当接する指側当接面を有し、前記第一当接片部との間に前記第二当接片部を介在させた状態で、前記連結部によって前記第一当接片部及び前記第二当接片部と連結された第三当接片部をさらに具備することを特徴とする袋状容器絞り具」
とすることもできる。
【００１２】
上記構成の袋状容器絞り具では、第一当接片部及び第二当接片部に加え、表面に袋状容器が当接し、裏面に指が当接する第三当接片部が形成されている。これにより、袋状容器の第一当接片部が当接する側には、第一当接片部に加えて第三当接片部が当接することとなる。その結果、袋状容器を押圧するために必要な力を異なる三点から加えることとなるため、一点に必要とされる押圧力が減少し、比較的力の弱い女性や高齢者等であっても袋状容器を強く押圧することが可能となる。
【００１３】
さらに、第三当接片部は、この第三当接片部と第一当接片部との間に第二当接片部が介在する状態で連結されている。これにより、第一当接片部の表面、第二当接片部の裏面、及び、第三当接片部の表面が、袋状容器に対して交互に当接することとなるため、袋状容器絞り具の袋状容器への取り付け状態を安定したものとすることが可能となる。したがって、上記構成の袋状容器絞り具によれば、使い勝手の良い袋状容器絞り具とすることができる。
【００１４】
また、上述の袋状容器絞り具において、
「指を前記指側当接面に固定する固定手段をさらに有することを特徴とする袋状容器絞り具」
とすることもできる。
【００１５】
固定手段は、第一当接片部、第二当接片部、又は、第三当接片部の指側当接面に当接した指を、この指側当接面に固定するためのものであり、例えば、第一当接片部、第二当接片部、又は、第三当接片部における指先が当接する端部に設けられ、指側当接面に指を当接させた状態で指先を収容可能なポケット、或いは、第一当接片部、第二当接片部、又は、第三当接片部における指側当接面側に設けられ、指側当接面に指を当接させた状態で指を挿通可能なリング等が例示される。
【００１６】
上記構成の袋状容器絞り具では、第一当接片部、第二当接片部、又は、第三当接片部に固定手段をさらに有する。これにより、指側当接面に当接させた指を、固定手段を利用して第一当接片部、第二当接片部、又は、第三当接片部に固定することによって、使用中に第一当接片部、第二当接片部、又は、第三当接片部が指から外れることを防止することが可能となる。したがって、上記構成の袋状容器絞り具によれば、より使い勝手の良い袋状容器絞り具とすることができる。なお、この固定手段は、第一当接片部、第二当接片部、及び、第三当接片部の何れか一つ又は二つに設けるものであっても、第一当接片部、第二当接片部、及び、第三当接片部の全てに設けるものであっても構わない。
【発明の効果】
【００１７】
上述の通り、本発明によれば、袋状容器の内容物を容易に絞り出すことができる袋状容器絞り具を提供することができる。
【発明を実施するための最良の形態】
【００１８】
以下、本発明の第一実施形態である袋状容器絞り具について、図１及び図２に基づいて説明する。
【００１９】
図１に示すように、袋状容器絞り具１は、合成樹脂によって全体が一体的に形成されているものであり、第一当接片部２と、第二当接片部３と、第三当接片部４と、第一当接片部２、第二当接片部３、及び第三当接片部４を並設させた状態で連結する連結部５とから構成されるものである。
【００２０】
次に、第一当接片部２、第二当接片部３、及び第三当接片部４について、さらに詳しく説明する。なお、第一当接片部２、第二当接片部３、及び第三当接片部４は同一の構成をなすものであり、ここでは、第二当接片部３の構成について説明を行う。
【００２１】
第二当接片部３は、指の腹側（すなわち、指紋の有る部分）又は指の背側（すなわち、手の甲側）を被覆可能な形状を有するものであり、表面には袋状容器６が当接する容器側当接面７が形成され、裏面には指が当接する指側当接面８が形成されている。そして、この指側当接面８は、指の形状に倣って湾曲して形成されている。また、指側当接面８に指を当接させた場合に指先が当接する第二当接片部３の端部には、この指先を被覆可能なポケット１０が形成されている。さらに、図２に示すように、ポケット１０には、貫通孔１１が形成されている。
【００２２】
そして、上述のように、第一当接片部２及び第三当接片部４は第二当接片部３と同一の構成をなすものであり、第二当接片部３に対して表面及び裏面を反転させた状態で連結部５によって連結されている。
【００２３】
次に、図１及び図２に基づいて、本実施形態の袋状容器絞り具１の使用方法について説明する。なお、本実施形態においては、袋状容器６が、先端に抽出口１２が形成されたチューブ状の容器である場合の使用方法について説明する。
【００２４】
まず、使用者の手２０に袋状容器絞り具１を当接させる。具体的には、連結部５を手首側に向けた状態で、第一当接片部２の指側当接面８に人差し指２１の背側、第二当接片部３の指側当接面８に中指２２の腹側、そして、第三当接片部４の指側当接面８に薬指２３の背側を当接させる。
【００２５】
なお、上述のように、第一当接片部２、第二当接片部３、及び第三当接片部４の各端部にはポケット１０が形成されていると共に、夫々の指側当接面８は指の形状に倣って湾曲して形成されている。これにより、指側当接面８に当接させた指はこの湾曲に適合し、指先はポケット１０によって被覆されることとなる。したがって、第一当接片部２、第二当接片部３、及び第三当接片部４に対する指の当接状態を的確に保持することが可能となり、使い勝手を良くすることができる。ここで、ポケット１０が本発明における固定手段に相当する。なお、このポケット１０の両端には切込１０ａ（図１参照）が形成されている。これにより、ポケット１０の開口端１０ｂは使用者の指先の形状に応じて拡開させることが可能となるため、この袋状容器絞り具１は、使用者の指先の大きさに係わりなく使用することができる。
【００２６】
さらに、上述のように、ポケット１０には、貫通孔１１が形成されており、ポケット１０内に溜まった水等がこの貫通孔１１を介して外部に排出されるような構成となっている（図２参照）。
【００２７】
また、図１及び図２に示すように、連結部５における中指２２の付け根との当接部分には、切欠１３が形成されている。これにより、中指２２を第二当接片部３に深く差し込んで当接させることができる。
【００２８】
次に、袋状容器絞り具１を当接させた状態の使用者の手２０で袋状容器６の底部６ａ付近を挟み込む。具体的には、第一当接片部２の表面、第二当接片部３の裏面、及び、第三当接片部４の表面に形成された容器側当接面７の夫々に袋状容器６を当接させる。これにより、袋状容器絞り具１を介在させた状態で人差し指２１、中指２２、及び薬指２３によって袋状容器６を挟み込むこととなる。
【００２９】
次に、袋状容器絞り具１を人差し指２１、中指２２、及び薬指２３によって押圧しながら抽出口１２に向かってスライドさせる（図２矢印Ａ参照）。これにより、袋状容器６に収容される内容物は、抽出口１２側に案内され、抽出口１２から絞り出されることとなる。
【００３０】
このように、本実施形態の袋状容器絞り具１によると、袋状容器６は、第一当接片部２、第二当接片部３、及び、第三当接片部４によって表裏の二方向から強く押圧されることとなる。その結果、内容物を抽出口１２に的確に案内して容易に絞り出すことができる。
【００３１】
また、本実施形態の袋状容器絞り具１によると、袋状容器６を異なる三点から押圧することとなるため、一点に必要とされる押圧力が減少し、比較的力の弱い女性や高齢者等であっても袋状容器を強く押圧することが可能となる。また、この場合、袋状容器６をＳ字状に湾曲させて押圧することとなるため、抽出口１２に向かって案内される内容物が逆流することを防止することが可能となる。これにより、内容物を容易に絞り出すことができる。
【００３２】
以上、本発明に係る一例を説明したが、本発明はこれに限らず、本発明の要旨を逸脱しない範囲で、種々の変更が可能である。
【００３３】
すなわち本実施形態の袋状容器絞り具１においては、全体が合成樹脂によって形成されているものを例示したが、これに限定されるものではない。例えば、金属や木を素材として形成されるものであっても構わない。なお、袋状容器６を的確に押圧するためには、この袋状容器６よりも硬質の素材を使用することが好適である。
【００３４】
また、本実施形態の袋状容器絞り具１においては、第一当接片部２、第二当接片部３、及び第三当接片部４の三枚の当接片部を具備するものを例示したが、これに限定されるものではない。例えば、第三当接片部４を有さず、第一当接片部２及び第二当接片部３によって袋状容器６を押圧するものであっても構わない。この場合にも、袋状容器６を二方向から押圧することとなるため、内容物を容易に絞り出すことができる。
【００３５】
また、本実施形態の袋状容器絞り具１においては、固定手段として第一当接片部２、第二当接片部３、及び第三当接片部４に設けられたポケット１０を例示したが、これに限定されるものではない。例えば、第一当接片部２、第二当接片部３、又は第三当接片部４における夫々の指側当接面８に設けられた、指側当接面に指を当接させた状態で指を挿通可能なリング等であっても構わない。この場合にも、指側当接面８に当接させた人差し指２１等を、その指側当接面８に固定することができる。
【００３６】
また、本実施形態の袋状容器絞り具１においては、第一当接片部２に人差し指２１、第二当接片部３に中指２２、そして、第三当接片部４に薬指２３を当接させるものを例示したが、これに限定されるものではない。例えば、第一当接片部２に親指、第二当接片部３に人差し指、そして、第三当接片部４に中指を当接させる等、別の指を当接させて使用しても構わない。また、袋状容器絞り具１の表面及び裏面を反転させて使用することも可能である。
【００３７】
また、本実施形態においては、袋状容器６として、チューブ状の容器を例示したが、これに限定されるものではない。例えば、詰め替え用のシャンプー、リンス、又は液体洗剤等が収容されるパック等の可撓性を有するものに対しても使用することができる。なお、第一当接片部２、第二当接片部３、及び第三当接片部４の長さ寸法に対して大きい巾寸法を有する袋状容器６に対しても、この袋状容器６を折りたたんで巾寸法を小さくした状態で袋状容器絞り具１を使用することによって、内容物を絞り出すことができる。
【００３８】
また、図３に例示するように、外形形状がウサギの顔等の動物の外観形状等を模して形成されるものであっても構わない。この場合、袋状容器絞り具１の外観性を高めることができる。さらに、袋状容器絞り具１に貫通孔１４を設け、この貫通孔１１に吊下げ用の紐１５を挿通することによって、袋状容器絞り具１をシャンプー又はリンス等のボトル、或いは洗面所や浴室等に設置されたフック等に引っ掛け可能な構成としても構わない。これにより、袋状容器絞り具１を使用場所に常時設置しておくことが可能となり、必要時に即座に使用することができる。
【図面の簡単な説明】
【００３９】
【図１】本実施形態の袋状容器絞り具の構成を示す斜視図である。
【図２】本実施形態の袋状容器絞り具の使用状態を示す斜視図である。
【図３】袋状容器絞り具の別の例を示す正面図である。
【符号の説明】
【００４０】
１  袋状容器絞り具
２  第一当接片部
３  第二当接片部
４  第三当接片部
５  連結部
６  袋状容器
６ａ  底部
７  容器側当接面
８  指側当接面
１０  ポケット
１１  貫通孔
１２  抽出口
１３  切欠
２１  人差し指
２２  中指
２３  薬指
【図１】
2006290425.tif 000003
【図２】
2006290425.tif 000004
【図３】
2006290425.tif 000005